(57)【要約】      （修正有）【解決手段】管継手１０では、本体１６が湾曲し、その管底の曲がる位置に曲点２２が設けられる。本体１６の両側にそれぞれ流入口３６および流出口４２が形成され、流入口３６に横管１２が接続され、流出口４２に傾斜管１４が接続される。そして、流入口３６から本体１６に向かって縮径部分３２ａにより管底が下がり、その下がり始める位置に落下開始点４０が設けられる。【効果】落下開始点が曲点より流入口側に位置することにより、流入口から流入する排水が傾斜管に衝突せず、排水が傾斜管を閉塞しにくくなるため、横管に接続される排水設備の封水破壊が防止される。【選択図】図４
2007309414.tif 000002
【特許請求の範囲】
【請求項１】
湾曲する本体、
前記本体の一方端に設けられる流入口、
前記本体の他方端に設けられる流出口、
前記流入口から前記流出口へ向かって前記本体の管底が曲がる位置に設けられる曲点、および
前記曲点より前記流入口側に設けられる落下開始点を備える、管継手。
【発明の詳細な説明】
【技術分野】
【０００１】
この発明は、管継手に関し、特にたとえば、横管の下流側端部と傾斜管の上側端部とを接続する、管継手に関する。
【背景技術】
【０００２】
従来の管継手の一例が、特許文献１に開示されている。この特許文献１の図４では、落差接合構造によって屋内排水主管と排水ますとが接続されている。この落差接合構造は、下向きの第１の４５度エルボ、４５度傾斜管、上向きの第２の４５度エルボ、横管、９０度曲管および第２の横管を連結することにより形成される。
【特許文献１】特開２００５−１４６５２４号公報［Ｅ０３Ｆ  ５／１０］
【発明の開示】
【発明が解決しようとする課題】
【０００３】
特許文献１の従来技術では、図５に示すように、屋内排水主管１を流れる排水の量が多い場合、および／または排水の速度が速い場合、排水が屋内排水主管１から第１の４５度エルボ３へ流れると、排水は水平方向に進みながら、曲点４、つまり第１の４５度エルボ３の曲がる位置で重力により落下し始めて、斜め下方に向かって流下する。そして、排水は、４５度傾斜管２の内面に衝突して跳ね返り、４５度傾斜管２を閉塞してしまうことがある。この場合、排水の上流側に減圧が発生し、屋内排水主管１に繋がる排水設備（図示せず）の封水破壊が生じてしまう。
【０００４】
それゆえに、この発明の主たる目的は、排水設備の封水破壊を防止することができる、管継手を提供することである。
【課題を解決するための手段】
【０００５】
請求項１の発明は、湾曲する本体、本体の一方端に設けられる流入口、本体の他方端に設けられる流出口、流入口から流出口へ向かって本体の管底が曲がる位置に設けられる曲点、および曲点より流入口側に設けられる落下開始点を備える、管継手である。
【０００６】
請求項１の発明では、曲点（２２：実施例において相当する部分を例示する参照符号。以下同じ。）より流入口（３６）側に落下開始点（４０）を設けると、流入口（３６）に対向する側の内面と落下開始点（４０）との間の距離が、流入口（３６）に対向する側の内面と曲点との間の距離に比べて大きくなる。このため、多量または高速の排水が流入口（３６）から流入口（３６）に対向する側の内面へ向かって水平方向に流入しても、排水が曲点で重力により落下し始める場合に比べて、排水が落下開始点（４０）で重力により落下し始める場合の方が排水は内面に衝突しにくい。よって、管継手またはその流出口（４２）に接続される傾斜管（１４）を排水が閉塞することを防ぎ、延いては排水の上流側の減圧発生も防止する。  
【発明の効果】
【０００７】
この発明によれば、曲点より流入口側に落下開始点を設けることにより、排水設備の封水破壊を防止することができる。
【０００８】
この発明の上述の目的，その他の目的，特徴および利点は、図面を参照して行う以下の実施例の詳細な説明から一層明らかとなろう。
【発明を実施するための最良の形態】
【０００９】
図１に示すこの発明の一実施例である管継手１０は、図２に示す横管１２の下流側端部と傾斜管１４の上側端部とを接続するために用いられる。
【００１０】
管継手１０は、図１−図３に示すように、塩化ビニル樹脂などの合成樹脂で形成され、本体１６を有する。本体１６は中空円筒形状であって、その内部に中空部を含む。本体１６の両端部にそれぞれ流入側管部１８および流出側管部２０が設けられ、流入側管部１８から流出側管部２０に向かって本体１６が湾曲する。この湾曲する角度θは、０°より大きく９０°より小さく、たとえば４５°に設定されて、流入側管部１８は水平方向に延び、流出側管部２０は斜め４５°下方に延びる。そして、流入側管部１８から流出側管部２０に向かって本体１６の管底が下方へ曲がり始める位置に曲点２２が設けられる。
【００１１】
流入側管部１８および流出側管部２０の内径は本体１６の内径より少し大きく設定されて、流入側管部１８および流出側管部２０の内面と本体１６の内面との間に径方向に段差２４が形成される。流入側管部１８の中に流入側枠部２６が嵌め込まれ、流出側管部２０の中に流出側枠部２８が嵌め込まれる。
【００１２】
流入側枠部２６は外側枠部分３０ａ、縮径部分３２ａおよび内側枠部分３４ａを有し、これら外側枠部分３０ａ、縮径部分３２ａおよび内側枠部分３４ａは一体的に形成される。
【００１３】
外側枠部分３０ａは中空円筒形状である。その外面は流入側管部１８の内面に接し、接着剤などにより固定されるため、外側枠部分３０により流入側枠部２６が流入側管部１８に取り付けられる。外側枠部分３０ａの厚みは段差２４の高さに相当し、外側枠部分３０ａの内面は本体１６の内面と平滑に接続される。
【００１４】
内側枠部分３４ａは中空円筒形状に形成され、その外径は外側枠部分３０ａの内径より小さく設定されるため、内側枠部分３４ａは外側枠部分３０ａと間隔を隔てて、外側枠部分３０ａの中に挿入される。そして、内側枠部分３４ａは流入側枠部２６の中で最も高い位置に設けられ、内側枠部分３４ａの管底と外側枠部分３０ａの管底との間に高低差が形成される。また、内側枠部分３４ａは水平方向に延びて、その開口に流入口３６が形成され、流入口３６が側方に向かって開口する。これにより、内側枠部分３４ａは横管１２と接続するための受口として用いられ、内側枠部分３４ａにより水平方向に配置される横管１２と管継手１０が接続される。
【００１５】
縮径部分３２ａは外側枠部分３０ａおよび内側枠部分３４ａを接続するものであって、縮径部分３２ａの本体側端部が外側枠部分３０ａの本体側端部に接合し、縮径部分３２ａの開口側端部が内側枠部分３４ａの本体側端部が接合する。また、縮径部分３２ａの開口側端部と内側枠部分３４ａとの間に径方向の段差３８が設けられ、この段差３８の大きさは横管１２の肉厚に相当する。このため、内側枠部分３４ａの中に横管１２を挿入すると、横管１２の内面と縮径部分３２ａの内面とは円滑に接続される。そして、縮径部分３２ａは中空の截頭円錐体状に形成されて、内側枠部分３４ａから外側枠部分３０ａに向かって縮径部分３２ａの管底が下り勾配となる。これにより、横管１２から本体１６へ管底が徐々に下がる。
【００１６】
また、流入側枠部２６に落下開始点４０が設けられる。落下開始点４０は、流入側枠部２６における管底が流入口３６の管底より低くなることにより、流入口３６から流入した排水が重力により落下し始める位置である。このため、落下開始点４０は、縮径部分３２ａの開口側端部の管底に形成され、曲点２２より流入口３６側に設けられる。この曲点２２と落下開始点４０との間の距離Ｄは縮径部分３２ａの軸方向の長さに相当する。
【００１７】
流出側枠部２８は流入側枠部２６とほぼ同様のものである。しかしながら、流入側枠部２６の内側枠部分３４ａが、流入側枠部２６の中で最も高い位置に設けられ、かつ横管１２との接続受口として用いられて、内側枠部分３４ａの開口に流入口３６が形成されるのに対して、流出側枠部２８の内側枠部分３４ｂが、流出側枠部２８の中で最も低い位置に設けられ、かつ傾斜管１４との接続受口として用いられて、流出側枠部２８の開口に流出口４２が形成される点が異なる。これ以外の部分に関して流出側枠部２８は流入側枠部２６と同様であるために共通する部分については同じ番号を付して、その番号の説明を省略する。ただし、わかりやすいように、流入側枠部２６の外側枠部分３０ａ、縮径部分３２ａおよび内側枠部分３４ａには各参照番号３０、３２、３４の後にａを付け、流出側枠部２８の外側枠部分３０ｂ、縮径部分３２ｂおよび内側枠部分３４ｂには各参照番号３０、３２、３４の後にｂを付けて、これらを区別しているが、これらはそれぞれ同様のものである。
【００１８】
このような管継手１０を用いた排水管路４４を形成するには、横管１２を水平方向に配置して、その上流側に排水設備（図示せず）を接続し、下流側端部を流入側枠部２６の内側枠部分３４の中に挿入し接着接合する。そして、傾斜管１４を斜め下方へ傾斜させてから、その上側端部を流出側枠部２８の内側枠部分３４の中に挿入して接着接合し、下側端部を下水道に繋がる排水管（図示せず）などに接続する。これにより、管継手１０により横管１２および傾斜管１４が接続され、排水管路４４が形成される。
【００１９】
この排水管路４４の管底は、横管１２により水平方向に延び、横管１２の下流側端部から本体１６に向かって縮径部分３２ａにより下り勾配となり、さらに本体１６および傾斜管１４によって下方へ傾斜して低くなる。
【００２０】
このため、排水設備から排水を流すと、排水は横管１２を水平方向に流れ、流入口３６から管継手１０の中に流入する。そして、排水は、縮径部分３２ａ、本体１６および縮径部分３２ｂに沿って流れ、流出口４２から傾斜管１４へ流出した後、さらに傾斜管１４の中を流下する。
【００２１】
また、横管１２を流れる排水の量が多い場合、および／または排水の速度が速い場合、排水は管継手１０および傾斜管１４に沿って流れずに、排水は、落下開始点４０から流入口３６に対向する側の内面に向かって水平方向に飛び出すとともに、落下開始点４０から落下し始めて、斜め下方に落下する。このとき、流入口３６に対向する側の内面と落下開始点４０との間の距離が短いと、排水は管継手１０または傾斜管１４の内面に衝突してしまうが、この距離が長いため、排水が傾斜管１４に衝突せずに、傾斜管１４の中をスムーズに流下することができる。
【００２２】
すなわち、図５に示す従来技術のように、屋内排水主管１および４５度傾斜管２を４５度エルボ３で接続すると、４５度エルボ３の中で屋内排水主管１の管底より低くなる位置は曲点４であるため、排水は曲点４から水平方向に飛び出しながら、曲点４から落下し始める。そして、排水は、たとえば、曲点４から水平方向に距離Ｌだけ進み、かつ垂直方向に高さＨだけ落下した地点で、流入口に対抗する側の４５度傾斜管２の内面に衝突する。
【００２３】
これに対して、図４に示す管継手１０では排水が落下し始める位置は落下開始点４０であって、落下開始点４０は曲点２２より距離Ｄだけ流入口３６側に位置するため、流入口３６に対向する内面と落下開始点４０との間の距離は、流入口３６に対向する内面と曲点２２との間の距離に比べて距離Ｄだけ長くなる。よって、図５に示す場合と同様に排水が流入すると、排水は、落下開始点４０から水平方向に距離Ｌだけ進んで、垂直方向に高さＨだけ落下するが、その地点において排水と内面との間に距離Ｄの間隔があく。また、排水速度の水平方向の成分はほぼ同じであるのに対し、垂直方向の成分は時間とともに大きくなることにより、排水はこの地点からさらに下方へ傾斜しながら流下する。したがって、排水は傾斜管１４において流入口３６に対向する側の内面に衝突することなく、傾斜管１４の中を流れることができる。
【００２４】
このように、曲点２２より流入口３６側に落下開始点４０を設けると、排水は管継手１０や傾斜管１４に衝突しにくいため、管継手１０または傾斜管１４を排水が閉塞することが防がれ、延いては排水の上流側の減圧発生および排水設備の封水破壊が防止される。
【００２５】
なお、截頭円錐体状の縮径部分３２ａによって落下開始点４０から本体１６に向かって管底を下り勾配にしたが、このような形状に限定されず、落下開始点４０から管底が下がるような形状であればよい。
【００２６】
また、上で挙げた角度や寸法の具体的数値はいずれも単なる一例であり、必要に応じて適宜変更可能である。
【図面の簡単な説明】
【００２７】
【図１】この発明の一実施例の管継手を示す断面図である。
【図２】図１の管継手により横管および傾斜管を接続して排水管路を形成した状態を示す断面図である。
【図３】図１の管継手の流入口側を示す平面図である。
【図４】図２の排水管路に排水を流した状態を示す断面図である。
【図５】従来技術の排水管路に排水を流した状態を示す断面図である。
【符号の説明】
【００２８】
１０…管継手
１６…本体
２２…曲点
３６…流入口
４０…落下開始点
４２…流出口
【図１】
2007309414.tif 000003
【図２】
2007309414.tif 000004
【図３】
2007309414.tif 000005
【図４】
2007309414.tif 000006
【図５】
2007309414.tif 000007